(57)【要約】      （修正有）【課題】型に合わせて裁断する裁断工程などを必要とせず、簡単に製作することができ、量産にも適したパッドの製造方法を提供すること。【解決手段】口部を有する伸縮可能な袋状体１２の中に、芯材となる綿部材を充填する綿充填工程と、綿充填工程の後に袋状体１２に充填した綿部材に接着のりを充填するのり充填工程と、のり充填工程の後に袋状体１２の口部の開口を塞ぐ開口閉塞工程と、開口閉塞工程の後に袋状体１２を加熱プレスしてパッドを形成する熱プレス工程と、を含むパッドの製造方法。綿充填工程においては、袋状体１２内に綿部材を層状に充填する。また、のり充填工程においては、袋状体１２内の底部及び上部では接着のりの充填量を少なくし、また袋状体１２の中間部では接着のりの充填量を多くする。【選択図】図８
2008150743.tif 000002
【特許請求の範囲】
【請求項１】
口部を有する伸縮可能な袋状体の中に、芯材となる綿部材を充填する綿充填工程と、前記綿充填工程の後に前記袋状体に充填した綿部材に接着のりを充填するのり充填工程と、前記のり充填工程の後に前記袋状体の前記口部の開口を塞ぐ開口閉塞工程と、前記開口閉塞工程の後に前記袋状体を加熱プレスしてパッドを形成する熱プレス工程と、を含むことを特徴とするパッドの製造方法。
【請求項２】
前記綿充填工程においては、前記袋状体内に前記綿部材を層状に充填することを特徴とする請求項１に記載のパッド製造方法。
【請求項３】
前記のり充填工程においては、前記袋状体内の底部及び上部では接着のりの充填量を少なくし、また前記袋状体の中間部では接着のりの充填量を多くし、これによって、前記パッドの底部及び上部が柔らかく、前記パッドの中間部が硬くなるようにすることを特徴とする請求項１又は２に記載のパッドの製造方法。
【請求項４】
前記のり充填工程と前記開口閉塞工程との間に、前記袋状体の前記口部を切断する口部切断工程が設けられていることを特徴とする請求項１〜３のいずれかに記載のパッドの製造方法。
【請求項５】
前記開口閉塞工程では、片面に係合凸部又は係合凹部が設けられた面ファスナーが用いられ、前記面ファスナーの他面に粘着層又は接着層が設けられ、前記粘着層又は接着層を介して前記面ファスナーが前記袋状体の前記開口に貼着されることを特徴とする請求項４に記載のパッドの製造方法。
【発明の詳細な説明】
【技術分野】
【０００１】
本発明は、衣服の肩部に内装などして用いられる肩パッドなどのパッドを製造する製造方法に関する。
【背景技術】
【０００２】
ブラウス、シャツ、上着などの肩部に内装される肩パッドとして、所定形状の芯体と、この芯体の表裏を覆う布部材とから構成されたものが知られている（例えば、特許文献１参照）。この公知の肩パッドでは、芯体は繊維及び接着剤により形成された不織布を加圧、加熱することにより形成される。また、布部材は所定形状、大きさに裁断され、芯体の表面に接着剤によって貼着され、その後加熱、加圧されて芯体に固着され、しかる後に周縁部を縫合され、このようにして肩パッドが形成される。
【０００３】
【特許文献１】特開２００１−２９５１１９号公報
【発明の開示】
【発明が解決しようとする課題】
【０００４】
しかしながら、上述した肩パッドでは、その製作に手間がかかるという問題がある。即ち、接着剤を含んだ不織布を加圧、加熱することによって芯体を形成し、また型に合わせて所定形状に裁断して布部材を形成し、この布部材に接着剤を塗布した後に加熱、加圧して芯体の表裏に固着し、しかる後布部材の周縁部を縫合わせて形成するために、裁断行程、縫合行程などの手間を要する工程が多く、製作に人手を要し、製作コストも高くなる。
【０００５】
本発明の目的は、型に合わせて裁断する裁断工程などを必要とせず、簡単に製作することができ、量産にも適したパッドの製造方法を提供することである。
【課題を解決するための手段】
【０００６】
本発明の請求項１に記載のパッドの製造方法は、口部を有する伸縮可能な袋状体の中に、芯材となる綿部材を充填する綿充填工程と、前記綿充填工程の後に前記袋状体に充填した綿部材に接着のりを充填するのり充填工程と、前記のり充填工程の後に前記袋状体の前記口部の開口を塞ぐ開口閉塞工程と、前記開口閉塞工程の後に前記袋状体を加熱プレスしてパッドを形成する熱プレス工程と、を含むことを特徴とする。
【０００７】
また、本発明の請求項２に記載のパッドの製造方法では、前記綿充填工程においては、前記袋状体内に前記綿部材を層状に充填することを特徴とする。
また、本発明の請求項３に記載のパッド製造方法では、前記のり充填工程においては、前記袋状体内の底部及び上部では接着のりの充填量を少なくし、また前記袋状体の中間部では接着のりの充填量を多くし、これによって、前記パッドの底部及び上部が柔らかく、前記パッドの中間部が硬くなるようにすることを特徴とする。
【０００８】
また、本発明の請求項４に記載のパッドの製造方法では、前記のり充填工程と前記開口閉塞工程との間に、前記袋状体の前記口部を切断する口部切断工程が設けられていることを特徴とする。
【０００９】
更に、本発明の請求項５に記載のパッドの製造方法では、前記開口閉塞工程では、片面に係合凸部又は係合凹部が設けられた面ファスナーが用いられ、前記面ファスナーの他面に粘着層又は接着層が設けられ、前記粘着層又は接着層を介して前記面ファスナーが前記袋状体の前記開口に貼着されることを特徴とする。
【発明の効果】
【００１０】
本発明の請求項１に記載のパッドの製造方法によれば、伸縮可能な袋状体の中に綿部材を充填し、この充填した綿部材に接着のりを充填し、その後袋状体の口部を塞ぎ、しかる後に袋状体を加熱プレスしてパッドを形成するので、型に沿って所定形状に裁断する裁断作業をなくすことができ、人手をかけずに簡単にパッドを製作することができる。また、袋状体の口部を例えば面ファスナなどを用いて塞ぐことによって、縫い合わせる縫製作業をなくすことができ、製作の手間を一層少なくすることができる。このような製造方法は、衣類の肩部に取り付ける肩パッド、衣類の脇に取り付ける脇パッド、ズボンに膝に取り付ける膝パッドなどの製作に適用することができる。
【００１１】
また、本発明の請求項２に記載のパッドの製造方法によれば、袋状体内に綿部材が層状に充填されるので、熱プレス工程において加熱プレスを行うことによってきれいな芯体を形成することができるとともに、接着のりの充填も層状に行うことが可能となり、所望の固さの芯体を形成することができる。
【００１２】
また、本発明の請求項３に記載のパッドの製造方法によれば、のり充填工程において、袋状体の底部及び上部では接着のりの充填量が少なく、その中間部では接着のりの充填量が多いので、芯体の中間部を硬く、その表面部を柔らかくすることができ、芯が硬く、肌に優しいパッドを製作することができる。
【００１３】
また、本発明の請求項４に記載のパッドの製造方法によれば、袋状体の開口を閉塞する前に口部を切断するので、加熱プレスをした後にこの口部が残ることがなく、表面のきれいなパッドを製作することができる。
【００１４】
更に、本発明の請求項５に記載のパッドの製造方法によれば、袋状体の開口に粘着層又は接着層を介して面ファスナが貼着されるので、パッドの製作の際の縫製作業をなくすことができ、製作の手間を少なくしてつくることができる。
【発明を実施するための最良の形態】
【００１５】
以下、添付図面を参照して、本発明に従うパッドの製造方法の一例について説明する。図１は、本発明に従うパッドの製造方法により製作された肩パッドの一実施形態を示す斜視図であり、図２は、パッドを製造する際に用いる袋状体を示す簡略図であり、図３は、図２の袋状体に綿部材を充填する状態を示す簡略図であり、図４は、袋状体内の綿部材に接着のりを充填する状態を示す簡略図であり、図５は、接着のりの充填状態を説明するための図であり、図６は、袋状体の口部を切断する状態を示す簡略図であり、図７は、袋状体の口部開口に面ファスナを貼着する状態を示す簡略図であり、図８は、袋状体を加熱プレスする前の状態を示す簡略図であり、図９は、袋状体を加熱プレスした状態を示す簡略図であり、図１０は面ファスナを示す斜視図である。
【００１６】
図１において、図示の肩パッド２はパッド本体４を備え、このパッド本体４に面ファスナ６が取り付けられている。パッド本体４は、後述する如く、肩形状に対応した所定形状の芯体（図示せず）を備え、この芯本体の表面が袋状体８により覆われている。面ファスナ６は表面には多数の係合凸部１０（又は係合凹部）が設けられ、かかる係合凸部１０（又は係合凹部）が、シャツ、上着などの衣類の肩部に取り付けられた面ファスナ（図示せず）に装着される。肩パッド２側の面ファスナ６が多数の係合凸部１０（又は係合凹部）を備えている場合には、衣類の肩部側の面ファスナは、これら係合凸部１０（又は係合凹部）に着脱自在に係合する係合凹部（又は係合凸部）を備えたものが用いられる。
【００１７】
このような肩パッド２は、次の通りにして製作することができる。即ち、肩パッド２を製作するためには、図２に示す袋状体１２が用いられ、この袋状体１２は、収容空間を規定する袋状本体１４と、袋状本体１４と一体的に設けられた口部１６とを備え、口部１６の大きさは、例えば２０〜３５ｍｍ程度の大きさにすることができる。このような袋状体１２は、例えばポリエステルなどの合成繊維をパンスト編地状に編み上げてつくられ、このように編み上げた袋状体１２は伸縮可能となる。
【００１８】
この袋状体１２は、例えば、トウモロコシから形成した糸を用いるようにしてもよく、このような自然のものを原材料とする糸を用いることによって、皮膚に優しく、また汗を吸収し易いものとなる。この袋状体１２に用いる糸に抗菌処理（及び／又は防臭処理）を施して、製作した肩パッド２に抗菌特性（及び／又は防臭特性）を持たせるようにすることもできる。
【００１９】
肩パッド２を製作するには、まず、図３に示すように、口部１６から袋状体１２の中に、芯材となる綿部材１８を充填する（綿充填工程）。綿部材１８としては皮膚に優しいオーガニック綿などを用いることができ、袋状体１２の袋状本体１４内に、口部１６まで満たされるように充填される。この綿部材１８を充填する場合、図４に示すように、袋状体１２内の底部から口部１６に向けて層状に充填するのが好ましく、このように層状に充填することによって、後の熱プレス工程においてきれいな形状の芯体を形成することができる。綿部材１８の充填は人手で行うようにしてもよいが、機械で自動的に充填する場合にはエアーを利用して充填することができる。
【００２０】
次に、図４及び図５に示すように、袋状体１２内の綿部材１８に接着のりを充填する（のり充填工程）。接着のりを充填するときには、口部１６を通して袋状本体１４内に充填用チューブ２０を挿入し、この充填用チューブ２０を通して接着のりを充填する。接着のりの充填は、袋状本体１４内の底部領域Ａ及び上部領域Ｂにおいてはその充填量が少なくなるようにし、この袋状本体１４の中間領域Ｃ（底部領域Ａと上部領域Ｂとの間の領域）においてはその充填量が多くなるようにするのが好ましい。このように充填するために、図４に示すように、充填用チューブ２０の先端部を袋状本体１４内の底部まで挿入して底部領域Ａに接着のりを充填し、その後、図５に一点鎖線２０Ａで示すように、充填用チューブ２０を少し引いてその先端部を袋状本体１４内の中間部に位置付けて中間領域Ｃに接着のりを充填し、しかる後、図５に一点鎖線２０Ｂで示すように、充填用チューブ２０を更に少し引いてその先端部を袋状本体１４内の上部に位置付けて上部領域Ｂに接着のりを充填する。後に加熱プレスすることによって、接着のりの多い部位では固く、接着のりの少ない部位では柔らかくなるために、このように接着のりを充填することによって、袋状体１２の中間部分（中間領域Ｃに対応する部位）は固くなって芯体をしっかりさせることができ、また袋状体１２の表面部分（底部領域Ａ及び上部領域Ｂに対応する部位）は柔らかくなって皮膚に優しいものとすることができる。
【００２１】
このような接着のりの充填は、例えば３本の充填用チューブ、即ち底部領域Ｃに接着のりを充填するもの、上部領域Ｂに接着のりを充填するもの及び中間領域Ｃに接着のりを充填するものを用いるようにしてもよく、或いは２本の充填用チューブ、即ち底部領域Ａ及び上部領域Ｂに接着のりを充填するもの及び中間領域Ｃに接着のりを充填するものを用いるようにしてもよい。
【００２２】
次いで、図６で示すように、袋状体１２の口部１６を切断する（口部切断工程）。この口部１６は、例えばハサミ２２を用いてその基部から切断される。このように口部１６を切断することによって肩パッドをきれいに製作することができるが、口部１６が残っていても問題がないときには、この口部切断工程を省略することができる。
【００２３】
その後、図７に示すように、袋状体１２の口部１６の開口を閉塞する（開口閉塞工程）。この実施形態では、この口部１６の閉塞は、上述したように面ファスナ６を用いて行われる。図１０図を参照して、この面ファスナ６の片面側には多数の係合凸部１０が設けられ、その他面側には粘着層２４（又は接着層）が設けられている。口部１６を塞ぐには、図７に示すように、口部１６の開口を合わせるようにして塞ぎ、そしてその表面に面ファスナ６の粘着層２４（又は接着層）側を載置し、かく載置した状態で加熱しながら加圧すればよく、かく加圧加熱すると、粘着層２４（又は接着層）を介して面ファスナ６が袋状本体１４に貼着され、縫製作業を行うことなく取り付けることができる。
【００２４】
しかる後、図８及び図９に示すようにして袋状体４を熱プレスして所定形状の肩パッド２に仕上げる（熱プレス工程）。熱プレス工程においては、下金型２６及び上金型２８が用いられ、例えば、下金型２６に対して上金型２８が矢印で示すように上下移動される。下金型２６には凹部３０が設けられ、上金型２８には凸部３２が設けられ、この下金型２６の凹部３０の内面と上金型２８の凸部３２の外面との間に、製作する肩パッド２の形状に対応したプレス空間が規定される。
【００２５】
熱プレスを行うときには、図８に示すように、例えば面ファスナ６側を下にして袋状体４を下金型２６の凹部３０内に位置付け、上金型２８を下方に下金型２６に向けて移動させ、図９に示すように下金型２６及び上金型２８によって加熱、加圧してプレスを行う。この熱プレスは、例えば、１２０℃前後の蒸気を加えながら圧力を加えて行うことができ、かく熱プレスを行うことによって、接着のりが固まって所定形状の肩パッド、即ち図１に示す通りの肩パッド２が形成される。尚、肩パッド２の大きさ、形状、厚みなどは下金型２６及び上金型２８の形状によって決定される。
【００２６】
上述した製造方法では、容易に理解される如く、従来の裁断作業をなくすことができ、特に面ファスナ１６を貼着するようにしたときには従来の縫製作業もなくすことができ、これによって、その製造方法を簡単にして製作コストを低減し、大量生産に適したものを提供することができる。
【００２７】
以上、本発明に従う肩パッドの製造方法の一例について説明したが、本発明はかかる実施形態に限定されるものではなく、本発明の範囲を逸脱することなく種々の変更乃至修正が可能である。
【００２８】
例えば、上述した製造方法では、袋状体１２の口部に面ファスナ６を貼着しているが、このような面ファスナ６を用いることなく、粘着テープ又は接着テープを貼着して閉塞するようにしてもよく、或いは縫製によって閉じるようにしてもよい。
【００２９】
また、上述した製造方法では、肩パッドに適用して説明したが、脇パッド、膝パッドなどのその他のパッドの製造にも適用することができる。
【図面の簡単な説明】
【００３０】
【図１】本発明に従うパッドの製造方法により製作された肩パッドの一実施形態を示す斜視図。
【図２】パッドを製造する際に用いる袋状体を示す簡略図。
【図３】図２の袋状体に綿部材を充填する状態を示す簡略図。
【図４】袋状体内の綿部材に接着のりを充填する状態を示す簡略図。
【図５】接着のりの充填状態を説明するための図。
【図６】袋状体の口部を切断する状態を示す簡略図。
【図７】袋状体の口部開口に面ファスナを貼着する状態を示す簡略図。
【図８】袋状体を加熱プレスする前の状態を示す簡略図。
【図９】袋状体を加熱プレスした状態を示す簡略図。
【図１０】面ファスナを示す斜視図である。
【符号の説明】
【００３１】
２  肩パッド
４  パッド本体
６  面ファスナ
１２  袋状体
１４  袋状本体
１６  口部
１８  綿部材
２０  充填用チューブ
【図１】
2008150743.tif 000003
【図２】
2008150743.tif 000004
【図３】
2008150743.tif 000005
【図４】
2008150743.tif 000006
【図５】
2008150743.tif 000007
【図６】
2008150743.tif 000008
【図７】
2008150743.tif 000009
【図８】
2008150743.tif 000010
【図９】
2008150743.tif 000011
【図１０】
2008150743.tif 000012